(57)【要約】【課題】照明器具などを内周部と外周部とで確実に位置決めして外力から保護する。【解決手段】平面視多角形状の底壁２１と、前記底壁２１の外周縁から立設した外側壁と、前記底壁２１と連続した連続部４０Ａ，４０Ｂ、および、該連続部４０Ａ，４０Ｂに連設した折曲部４１Ａ，４１Ｂを有する２以上の切起片３９Ａ，３９Ｂからなる内側壁とを備え、一方の切起片３９Ａの折曲部４１Ａを折り曲げて少なくとも一部を隣接する切起片３９Ｂに重畳させ、その重畳部分に設けた連結手段により各切起片３９Ａ，３９Ｂを連結することにより、外側壁と内側壁とで環状をなす構成としている。【選択図】図１
2007055624.tif 000002
【特許請求の範囲】
【請求項１】
平面視多角形状の底壁と、
前記底壁の外周縁から立設した外側壁と、
前記底壁と連続した連続部、および、該連続部に連設した折曲部を有する２以上の切起片からなる内側壁とを備え、
一方の切起片の折曲部を折り曲げて少なくとも一部を隣接する切起片に重畳させ、その重畳部分に設けた連結手段により各切起片を連結することにより、外側壁と内側壁とで環状をなすようにしたことを特徴とする緩衝部材。
【請求項２】
前記連結手段は、一方の内側壁の折曲部において組立状態で下端に位置するように設けた切り起こし構造の係止片と、他方の内側壁の重畳部分に設けた係止溝とからなることを特徴とする請求項１に記載の緩衝部材。
【発明の詳細な説明】
【技術分野】
【０００１】
本発明は、商品の内周部と外周部とを保持した状態で外力から保護する緩衝部材に関するものである。
【背景技術】
【０００２】
従来、環型蛍光灯を用いた照明器具などの商品のうち、天井に吊り下げて使用され、下方から蛍光灯が露出するものは、照明器具本体を保護するために蛍光灯の内周部を位置決め保持した状態で、外箱内に収容される。
【０００３】
このような商品を位置決め保持し、外力から保護する本発明の緩衝部材に関連する先行技術文献情報としては次のものがある。
【０００４】
【特許文献１】実開昭６３−１４１１３１号公報
【０００５】
この特許文献１には、小径の蛍光灯を保持する第１緩衝部材と、大径の蛍光灯を保持する第２緩衝部材とを用いて外箱に収容する構成が記載されている。第１緩衝部材は平板状をなし、その所定位置には小径蛍光灯を保持する舌片部が切り起こし構造により設けられている。第２緩衝部材は八角筒状をなし、平面視正方形状をなす外箱の側壁と対向する壁には、その間を位置決めする位置決め部が突設されている。
【０００６】
しかしながら、前記緩衝部材は、蛍光灯を取り付けた照明器具本体のみを位置決め可能なものであり、笠は外箱のみでしか保護できない。そこで、第２緩衝部材を大きく形成することにより、内部に笠を収容させて保護することが考えられるが、部品点数が多いため、広い保管スペースが必要であり、コスト高になるという問題がある。
【発明の開示】
【発明が解決しようとする課題】
【０００７】
本発明は、従来の問題に鑑みてなされたもので、照明器具などの商品を内周部と外周部とで確実に位置決めして外力から保護できる緩衝部材を提供することを課題とするものである。
【課題を解決するための手段】
【０００８】
前記課題を解決するため、本発明の緩衝部材は、平面視多角形状の底壁と、前記底壁の外周縁から立設した外側壁と、前記底壁と連続した連続部、および、該連続部に連設した折曲部を有する２以上の切起片からなる内側壁とを備え、一方の切起片の折曲部を折り曲げて少なくとも一部を隣接する切起片に重畳させ、その重畳部分に設けた連結手段により各切起片を連結することにより、外側壁と内側壁とで環状をなす構成としている。
【０００９】
この緩衝部材では、前記連結手段は、一方の内側壁の折曲部において組立状態で下端に位置するように設けた切り起こし構造の係止片と、他方の内側壁の重畳部分に設けた係止溝とからなることが好ましい。
【発明の効果】
【００１０】
本発明の緩衝部材では、底壁に設けた外側壁により商品の外周部を位置決め保持するとともに、底壁に設けた２以上の切起片を組み付けて形成した内側壁により商品の内周部を位置決め保持した状態で、商品を外力から保護することができる。そして、この緩衝部材は、一枚のブランクからなるため、部品点数を削減でき、コストダウンを図ることができる。また、外周壁は、多角筒状をなすため、外箱に収容させた状態での耐圧強度を向上できる。その結果、外箱を形成する段ボール紙は、比較的軟質で安価なものを使用でき、トータルコストを大幅に低減できる。
【００１１】
また、連結手段は、切り起こし構造の係止片と、他方の内側壁の重畳部分に設けた係止溝とからなるため、各切起片を簡単かつ迅速に連結して内側壁を形成できる。しかも、これら係止片および係止溝は、組立状態で下端に位置するように設けているため、これらが商品の収容時に干渉するなどの問題が生じることを防止できる。
【発明を実施するための最良の形態】
【００１２】
以下、本発明の実施の形態を図面に従って説明する。
【００１３】
図１は、本発明に係る実施形態の緩衝部材２０を適用した包装箱を示す。この包装箱は、天井に吊り下げて使用する照明器具１を収容するもので、外箱１０と、該外箱１０の内部に収容する本発明の緩衝部材２０とを備えている。
【００１４】
まず、商品である照明器具１は、照明器具本体２に円錐筒状をなす笠３を取り付けたものである。照明器具本体２には、天井に吊り下げるとともに電気的に接続するためのコネクタ４を備えたコード５が設けられている。また、円環状をなす小径の蛍光灯６Ａと、大径の蛍光灯６Ｂとが取り付けられている。
【００１５】
前記外箱１０は、段ボール紙を一枚の連続したブランクとして打ち抜いて形成したもので、平面視正方形状をなす天壁１１および底壁１２と、これらを連続する側壁１３Ａ，１３Ｂとを備えている。そして、各側壁１３Ａ，１３Ｂの両端には内フラップ１４が連設されるとともに、天壁１１および底壁１２の両端には外フラップ１５が連設されている。
【００１６】
本発明の緩衝部材２０は、平面視八角形状をなすもので、段ボール紙を一枚の連続したブランクとして打ち抜いて形成される。具体的には、このブランクは、図５（Ａ）に示すように、周知の紙器打抜装置によって大量生産した際に、打ち抜き屑などの無駄を非常に削減できる正方形状をなすものである。
【００１７】
この緩衝部材２０のブランクは、その中央に八角形状をなす底壁２１を備えている。この底壁２１には、図５（Ａ）において上下左右に位置する外周縁に第１側壁部２２が連設され、その境界部分に肉厚を圧縮するように罫を入れて形成した折曲線２３が設けられている。この第１側壁部２２には、折曲線２３と平行に延びる折曲線２４と、該折曲線２４の両端から略Ｊ字形状に延びる切断線２５とが設けられ、その間にコード５を挿通させるための切り起こし構造の挿通溝２６が形成されている。また、この第１側壁部２２の両側縁には、第２側壁部３０と底壁２１との間の折曲線２３上に折り曲げられる巻込片２７が連設され、その境界部分に折曲線２８が設けられている。この巻込片２７は、折曲線２３の端部から同一直線上に延びる切断線２９ａと、該切断線２９ａの先端から外向きに屈曲して延びる切断線２９ｂと、該切断線２９ｂの先端から組立状態で垂直上向きに延びるように設けた切断線２９ｃとにより、後述する第２側壁部３０と区画されるとともに略倒Ｌ字形状をなすように形成されている。
【００１８】
また、前記底壁２１には、各第１側壁部２２と隣接するように、斜め両側上方および斜め両側下方の外周縁に第２側壁部３０が連設され、その境界部分に折曲線３１が設けられている。この第２側壁部３０は、巻込片２７と区画する切断線２９ａ〜２９ｃにより、組立状態で下部をＶ字形状に切り欠いた形状をなし、意匠的な美観の向上と、前記巻込片２７と上下で線接触することによる圧縮強度の向上とが図られたものである。この第２側壁部３０の略中央には長楕円形状をなす第１把持孔３２が設けられている。また、この第２側壁部３０において、組立状態で上側に位置する先端には、細幅の額縁部３３が連設されるとともに、該額縁部３３の先端に折返壁部３４が設けられ、その各境界部分には折曲線３５が設けられている。前記折返壁部３４は、組立状態で下側に位置する先端を９０℃に交差する先細形状とすることにより、ブランク全体が正方形状をなすように構成されている。また、この折返壁部３４の先端には、係止凸片３６が設けられ、この係止凸片３６を底壁２１において折曲線３１の近傍に設けた矩形状の係止孔３７に挿入係止できるように構成している。さらに、折返壁部３４には、組立状態で第１把持孔３２と対応する位置に長楕円形状をなす第２把持孔３８が設けられている。
【００１９】
そして、本実施形態の緩衝部材２０には、底壁２１に一対の切起片３９Ａ，３９Ｂからなる内側壁が設けられている。これら切起片３９Ａ，３９Ｂは、それぞれ底壁２１と連続する連続部４０Ａ，４０Ｂと、該連続部４０Ａ，４０Ｂの両側に連続した各一対の折曲部４１Ａ，４１Ｂとを備えている。そして、これら折曲部４１Ａ，４１Ａ，４１Ｂ，４１Ｂは、各連続部４０Ａ，４０Ｂに対して屈曲するように折り曲げた状態で、その先端同士が重畳する寸法で形成され、その重畳部分には連結手段として、一方の折曲部４１Ａに切り起こし構造の係止片４２を設け、他方の折曲部４１Ｂに係止片４２を係止する係止溝４３を設けた点で相違する。
【００２０】
具体的には、切起片３９Ａ，３９Ｂは、折曲線３１と平行に延びる第１折曲線４４Ａ，４４Ｂと、該第１折曲線４４Ａ，４４Ｂから屈曲して若干離れた位置で平行に延びる第１切断線４５Ａ，４５Ｂと、該第１切断線４５Ａ，４５Ｂの端部から折曲線３１に向けて屈曲して延びる第２切断線４６Ａ，４６Ｂと、該第２切断線４６Ａ，４６Ｂの端部から折曲線２３と平行に延びる第３切断線４７Ａ，４７Ｂと、該第３切断線４７Ａ，４７Ｂの端部から折曲線３１と平行に延びる第４切断線４８Ａ，４８Ｂと、該第４切断線４８Ａ，４８Ｂの端部から折曲線３１に向けて傾斜して延びる第５切断線４９Ａ，４９Ｂと、該第５切断線４９Ａ，４９Ｂの端部間を連続させる第６切断線５０Ａ，５０Ｂとを備えている。そして、第１折曲線４４Ａ，４４Ｂの両端には、連続部４０Ａと折曲部４１Ａ，４１Ａおよび連続部４０Ｂと折曲部４１Ｂ，４１Ｂを区画するために、折曲線３１に向けて直交方向に延びる第２折曲線５１Ａ，５１Ｂが設けられている。また、連続部４０Ａ，４０Ｂの先端中央に位置するように、凹状の切欠部５２Ａ，５２Ｂが設けられている。そのうち、図５（Ｂ）に示すように、第１の切起片３９Ａには、第１切断線４５Ａ，４５Ａを起点として一対の第７切断線５３が折曲部４１Ａ内に向けて互いに近接するように傾斜して延びるように設けられるとともに、これら第７切断線５３の先端間に折曲線５４が設けられ、その間に前記係止片４２が形成されている。また、図５（Ｃ）に示すように、第２の切起片３９Ｂの第１切断線４５Ｂ，４５Ｂは、その一部が非切断部とされ、その両端から一対の第８切断線５５が折曲部４１Ｂ内に向けて互いに近接するように傾斜して延びるように設けられるとともに、これら第８切断線５５の先端間に第９切断線５６が設けられ、その間に前記係止溝４３が形成されている。
【００２１】
このように構成された緩衝部材２０を組み立てる場合には、例えば図２に示すように、まず、折曲線２３に沿って第１側壁部２２を底壁２１に対して折り曲げるとともに、各第１側壁部２２に対して巻込片２７，２７を折り曲げ、折曲線３１上に位置させる。ついで、折曲線３１に沿って第２側壁部３０を折り曲げ、巻込片２７の外側に重畳させた後、図３に示すように、折曲線３５に沿って額縁部３３および折返壁部３４を折り曲げ、その先端の係止凸片３６を底壁２１の係止孔３７に挿入係止させる。これにより、平面視八角形状をなす底壁２１の外周縁に、照明器具１の笠３に外接する八角筒状をなす外側壁が立設される。
【００２２】
次に、図示のように、第１折曲線４４Ａ，４４Ｂに沿って各切起片３９Ａ，３９Ｂを底壁２１に対して折り曲げて切り起こした後、第２折曲線５１Ａ，５１Ｂに沿って各連続部４０Ａ，４０Ｂに対して折曲部４１Ａ，４１Ｂを折り曲げる。この際、第１の切起片３９Ａの折曲部４１Ａ，４１Ａを、隣接する第２の切起片３９Ｂの折曲部４１Ｂ，４１Ｂの外側に重畳させる。そして、各折曲部４１Ａ，４１Ａに形成した係止片４２，４２を内向きに押圧することにより屈曲させ、内側に位置する折曲部４１Ｂ，４１Ｂの係止溝４３，４３に挿入係止させる。これにより、平面視八角形状をなす底壁２１の中央に、照明器具１の小径の蛍光灯６Ａに内接する四角筒状をなす内側壁が立設される。このように、本実施形態の連結手段は、切り起こし構造の係止片４２と係止溝４３とで構成しているため、各切起片３９Ａ，３９Ｂを簡単かつ迅速に連結して内側壁を形成できる。
【００２３】
そして、この緩衝部材２０を用いて商品である照明器具１を外箱１０に収容させる場合、図１に示すように、照明器具１を緩衝部材２０に対して上側から収納させる。これにより、第１および第２側壁部２２，３０からなる外側壁によって笠３の外周部が位置決め保持されるとともに、切起片３９Ａ，３９Ｂからなる内側壁によって蛍光灯６Ａの内周部が位置決め保持される。また、切起片３９Ａ，３９Ｂの切欠部５２Ａ，５２Ｂによって、照明器具本体２の下端外周部（図示せず）が位置決め保持される。この際、本実施形態の連結手段を構成する係止片４２および係止溝４３は、組立状態で下端に位置するように設けているため、これらが商品の収容時に干渉するなどの問題が生じることを防止できる。
【００２４】
このように照明器具１を収容させると、ついで、所定の第１側壁部２２の挿通溝２６を折り曲げ、該挿通溝２６を通してコード５の先端のコネクタ４を外側に位置させる。その後、所定の第２側壁部３０の側から緩衝部材２０を外箱１０の内部に挿入し、内フラップ１４を折り曲げた後、外フラップ１５を折り曲げ、粘着テープなどの周知の固着手段により封緘する。
【００２５】
この収容状態では、平面視正方形状の外箱１０に対して平面視八角形状の緩衝部材２０を収容させているため、その四隅、具体的には緩衝部材２０の第１側壁部２２と外箱１０との間には収容空間が形成されることになる。そのため、緩衝部材２０の外側に進出させたコネクタ４は勿論、他の付属品を収容させることができる。また、緩衝部材２０の外側壁は、八角筒状をなすため、円形状をなす笠３の外周部との接触部分が多く、安定状態で収容できるとともに、確実な緩衝作用を得ることができる。その結果、収容した商品を確実に外力から保護することができる。
【００２６】
そして、本発明の緩衝部材２０は、連続した一枚のブランクからなるため、部品点数を削減でき、コストダウンを図ることができる。また、外箱１０の内部では、八角筒状をなす外周壁が上下方向に延びるため、耐圧強度を向上できる。その結果、外箱１０を形成する段ボール紙は、比較的軟質で安価なものを使用でき、トータルコストを大幅に低減できる。
【００２７】
一方、この包装箱に収容した照明器具１を取り出す場合には、外箱１０のフラップ１４，１５の固着を解除して開封する。そうすると、第２側壁部３０が露出するため、その把持孔３２，３８に手を差し込んで引き出すことにより、照明器具１と一緒に緩衝部材２０を外箱１０から簡単に取り出すことができる。
【００２８】
なお、本発明の緩衝部材２０は、前記実施形態の構成に限定されるものではなく、種々の変更が可能である。
【００２９】
例えば、前記実施形態では、内側壁を、連続部４０Ａ，４０Ｂと各一対の折曲部４１Ａ，４１Ａ，４１Ｂ，４１Ｂを備えた一対の切起片３９Ａ，３９Ｂにより構成したが、図６に示すように、連続部４０と折曲部４１とを備えた４個の切起片３９Ａ〜３９Ｄにより構成してもよい。この場合、各切起片３９Ａ〜３９Ｄを切り起こして内側壁を形成する場合、各折曲部４１を折り曲げて隣接する切起片３９Ｂ〜３９Ａの連続部４０に重畳させて、係止片４２を係止溝４３に係止させる。勿論、３つの切起片により三角筒状の内側壁を構成することも可能である。即ち、本発明は、連続部と折曲部とを備えた２以上の切起片を備え、これらの重畳部分を所定の連結手段により連結する構成の全てを含む。
【００３０】
また、前記実施形態では、底壁２１を平面視八角形状で形成したが、外箱１０と同様の四角形状であってもよく、その角数も希望に応じて変更が可能である。さらに、外側壁を構成する側壁部２２，３０は、第１側壁部２２に巻込片２７を設け、第２側壁部２２に連設した折返壁部３４で巻き込むように組み立てる構成としたが、その構成の種々の変更が可能である。
【００３１】
さらに、前記実施形態では、緩衝部材２０によって照明器具１を収容保護させたが、照明器具１に限られず、内周部と外周部とを保持した状態で外力から保護する必要がある商品であれば、いずれでも適用可能であり、同様の作用および効果を得ることができる。
【図面の簡単な説明】
【００３２】
【図１】本発明の緩衝部材を用いた包装箱を示す分解斜視図である。
【図２】緩衝部材を組み立てる際の一工程を示す斜視図である。
【図３】緩衝部材を組み立てる際の他の一工程を示す斜視図である。
【図４】緩衝部材の組立状態を示す斜視図である。
【図５】（Ａ）は緩衝部材のブランクを示す平面図、（Ｂ），（Ｃ）は（Ａ）の要部拡大図である。
【図６】緩衝部材の変形例のブランクを示す平面図である。
【符号の説明】
【００３３】
１…照明器具（商品）
３…笠
６Ａ，６Ｂ…蛍光灯
１０…外箱
２０…緩衝部材
２１…底壁
２２…第１側壁部（外側壁）
３０…第２側壁部（外側壁）
３９Ａ，３９Ｂ…切起片（内側壁）
４０Ａ，４０Ｂ…連続部
４１Ａ，４１Ｂ…折曲部
４２…係止片（連結手段）
４３…係止溝（連結手段）
【図１】
2007055624.tif 000003
【図２】
2007055624.tif 000004
【図３】
2007055624.tif 000005
【図４】
2007055624.tif 000006
【図５】
2007055624.tif 000007
【図６】
2007055624.tif 000008